(57)【特許請求の範囲】
【請求項１】
内蔵温度測定器と外付け受信器を有する温度測定装置を備える電力ケーブルジョイントの温度測定方法であって、
内蔵温度測定器は、二つのケーブルジョイントを接続する銅接続管と絶縁スリーブとの間に位置し、外付け受信器は、絶縁スリーブ以外の部分に位置し、内蔵温度測定器と外付け受信器との間に、ＲＦ識別技術で情報交換及びエネルギーの伝送を行い、前記外付け受信器は、送信した温度データを受信し、識別読取器に送信するためのＲＦ送信を行うＲＦアンテナを有し、内蔵温度測定器は、ＲＦ識別応答を行うＲＦ識別応答器を有し、前記ＲＦ識別応答器は、外付け受信器と通信を行うＲＦアンテナをさらに備え、内蔵温度測定器は外部電源を有しておらず、内蔵温度測定器の内部の全ての回路には、外付け受信器によって、電磁誘導方式で電力供給され、内蔵温度測定器は、内蔵温度測定器回路モジュールを内部に収容する筐体を備えており、ＲＦ誘導コイルは、前記筐体の外部に設置され、前記筐体に形成された側部アンテナ孔により、前記内蔵温度測定器回路モジュールと接続され、
外付け受信器とＲＦアンテナを分離させることができ、ＲＦアンテナを内蔵温度測定器の対応位置に取り付けられ、外付け受信器の取り付け位置は、ジョイントの構成によって調整させることができ、外付け受信器とＲＦアンテナを導線で接続させ、
温度センサーは、測定されたケーブル芯材や銅接続管に直接接触し、測定した温度値は、ＲＦアンテナにより、ＲＦ方式で外付け受信器に伝送し、外付け受信器は、有線または無線長距離通信インターフェイスを提供し、
内蔵温度測定器の一端と、銅接続管の軸方向の中点は、同じ線上に位置し、
内蔵温度測定器とＲＦアンテナの中心は、銅接続管上の一つの円の一つの半径から外側に延びる一つの線上に位置している電力ケーブルジョイントの温度測定方法において、
前記電力ケーブルジョイントの温度測定方法は、
内蔵温度測定器により、ケーブルの間のジョイントの内部の温度データを収集するステップと、
収集したデータを処理して、ＲＦ方式で信号の送信を行うステップと、
送信した信号は、外付け受信器により、対応する受信方式で受信された後、識別読取器に入力するステップとを有することを特徴とする電力ケーブルジョイントの温度測定方法。
【請求項２】
電力ケーブルジョイントの温度測定装置であって、
前記温度測定装置は、内蔵温度測定器と外付け受信器を備え、
内蔵温度測定器は、二つのケーブルジョイントを接続する銅接続管と絶縁スリーブとの間に位置し、外付け受信器は、絶縁スリーブ以外の部分に位置し、外付け受信器アンテナは、受信器に対して独立し、絶縁層を介して内蔵温度測定器アンテナ中心と対応して取り付けられ、外付け受信器と内蔵温度測定器アンテナとの間は、ＲＦ識別技術により、情報交換及びエネルギーの伝送を行い、内蔵温度測定器は、内蔵温度測定器回路モジュールを内部に収容する筐体を備えており、ＲＦ誘導コイルは、前記筐体の外部に設置され、前記筐体に形成された側部アンテナ孔により、前記内蔵温度測定器回路モジュールと接続され、
外付け受信器とＲＦアンテナを分離させることができ、ＲＦアンテナを内蔵温度測定器の対応位置に取り付けられ、外付け受信器の取り付け位置は、ジョイントの構成によって調整させることができ、外付け受信器とＲＦアンテナを導線で接続させ、
外付け受信器は、ＲＦアンテナにより、ＲＦ信号を送信し、内蔵温度測定器に電力を提供すると同時に、内蔵温度測定器とのデータ通信を実現し、内蔵温度測定器は、外部電源を有しておらず、ＲＦ誘導コイルにより、外付け受信器から送信したＲＦ信号を受信し、電源変換回路を経由し、その内部回路に電力を供給し、
内蔵温度測定器の一端と、銅接続管の軸方向の中点は、同じ線上に位置し、
内蔵温度測定器とＲＦアンテナの中心は、銅接続管上の一つの円の一つの半径から外側に延びる一つの線上に位置している
ことを特徴とする温度測定装置。
【請求項３】
内蔵温度測定器は、温度センサー、温度変換回路、ＲＦ誘導コイル、ＲＦインターフェイス回路及びＭＣＵ制御回路を少なくとも備え、温度センサーは、ケーブルジョイントの銅接続管や芯材に直接接触し、温度センサーは熱電対、プラチナ抵抗または半導体部品であり、温度変換回路は、温度センサーから出力した信号をＭＣＵによる識別可能なアナログまたはデジタル信号に変換し、ＲＦ誘導コイルは、外付け受信器とのエネルギーの受信およびデータの交換を実現し、ＲＦインターフェイス回路は、ＭＣＵとＲＦ誘導コイルとの間の信号変換を実現することを特徴とする請求項２に記載の温度測定装置。
【請求項４】
外付け受信器は、ＲＦ送信とインターフェイス回路、ＲＦ信号アンテナ、ＭＣＵ制御回路及び長距離通信インターフェイス回路を備え、ＲＦ送信とインターフェイス回路は、ＭＣＵ制御回路から送信した制御信号とデータ信号を受信し、ＲＦ信号アンテナにより、内蔵温度測定器に送信し、ＲＦ送信とインターフェイス回路は、ＲＦ信号アンテナにより、内蔵温度測定器から送信した応答信号を同時に受信し、ＭＣＵ制御回路に送信し、ＭＣＵは、受信した信号に基づいてデコードを行い、温度値を読み取ることを特徴とする請求項２に記載の温度測定装置。
【請求項５】
外付け受信器ＲＦ信号アンテナは、内蔵温度測定器外部回りでコイル状に分布する一組の受信コイルからなり、一つまたは複数のコアコイルを直列接続したものを受信コイルとし、内蔵温度測定器の片側または複数側に沿って内蔵温度測定器の外部に取り付けることを特徴とする請求項２に記載の温度測定装置。
【発明の詳細な説明】
【発明の詳細な説明】
【０００１】
［技術分野］
本発明は、電力検出分野に属し、ケーブルの間のジョイントの温度を測定し、ケーブルの故障を予防するために用いられるケーブルジョイントの温度測定方法及び装置に関する。
［背景技術］
従来、高圧電力伝送線路は、高架線及び地下ケーブルという二種類に分けられているが、都市化の進展に伴い、電力供給ネットワークを高架線から地下ケーブルに変更することを試してみた都市が多くなっている。ケーブルを地下に埋めることは隠蔽工事であり、かつ巨大な電力を伝送する役割を果たすので、都市電力供給部門は地下ケーブルの安全の確保、信頼性向上を重視している。
【０００２】
地下ケーブルを取り付ける工事において、常に二つのケーブルを接続することが必要であるが、技術上の制限によって、接触抵抗が生じることは回避できなく、大電流を伝送するケーブルにとって、抵抗の存在によってジョイントが発熱し易く、絶縁層の劣化を早め、設計寿命に到達する前に、ブレークダウンの故障が生じ、火事になったことがあり、このタイプの故障は予測できなく、大きな停電故障になってしまうことがあり、生産が影響を受け、経済損失が莫大なものになってしまう。
【０００３】
ケーブルジョイントの温度が連続かつ緩やかに変化しているので、ジョイントの過熱で故障が発生した時に、長い時間がかかり、対処方法を取って故障を回避し、線路の安全を確保することができる。この目的を達成するために、リアルタイムなオンライン監視システムが必要であり、地下ケーブルジョイントの実際の、かつ連続な温度値を記録し、ジョイント部分の温度変化をダイナミックに監視することだけではなく、履歴データとの比較値を提供することができ、状態評価分析を実施し、故障が発生する前にパラメーターの変化状況及び早期警戒情報を提供し、線路安全検査をすること及び必要な対策を取るように、関連部門に注意をタイムリーに与え、故障を未然に防ぎ、ケーブルの故障の損失を最小限まで低減する。従来、国内でケーブル中に、光ファイバーを挿入することを試してみて、温度変化時に、光ファイバーの屈折率が同時に変化している物理特性を利用し、ケーブル温度のオンライン検出応用技術の研究を行っている。しかし、実際の応用中、大量の光ファイバーでは無いケーブルの使用はすでに事実であり、光ファイバー挿入ケーブルの方法を採用するのは、ケーブルオンライン温度測定の問題を根本的に解決することはできない。また、光ファイバー挿入ケーブルの実際の構成と使用状況によって、光ファイバーを使用して温度を測定し、その検出値はケーブル導線芯材の実際の温度ではなく、光ファイバー挿入のケーブル構成層の部分の温度である。また、光ファイバー挿入式ケーブルは、地下まで敷設するあいだに、大きなトラクションと引張力を受けられるとともに、湾曲変形も発生し、光ファイバーが割れやすく、性能が全部無くなってしまう可能性がある。従って、ケーブルに光ファイバーを挿入することによって、オンラインの温度測定の技術応用することは大きな制限を受け、ケーブルの間のジョイントに対する正確な温度測定の要求を実現することができない。
［発明内容］
本発明は、ケーブルの間のジョイントの温度を測定する方法及び装置を提供し、該装置は、高温、高電圧の作動環境で、ケーブル芯材を正確な温度測定が行えるとともに、ＲＦＩＤ技術で絶縁層（シリコンゴム等）を透過し、外部に測定した温度信号を転送することができるとともに、該装置は、温度測定とデータ伝送において、元のケーブルの絶縁と遮壁の構成を破壊しないという本発明の技術のキーポイントと主要内容がある。
【０００４】
本発明の装置は、内蔵温度測定器と外付け受信器などを備え、内蔵温度測定器は、二つのケーブルジョイントを接続する銅接続管と絶縁スリーブとの間に位置し、外付け受信器は、絶縁スリーブの外部に位置する。内蔵温度測定器は、温度センサー、温度変換回路、ＲＦ誘導コイル、ＲＦインターフェイス回路及びＭＣＵ制御回路等を備える。温度センサーはケーブルジョイントの銅接続管に直接接触する。温度センサーは熱電対、プラチナ抵抗や半導体部品であってもよい。
【０００５】
外付け受信器は、ＲＦ送信とインターフェイス回路、ＲＦ信号アンテナ、ＭＣＵ制御回路及び長距離通信インターフェイス回路を備える。該ＲＦ信号アンテナは、内蔵温度測定器の外部回りでコイル状に分布する一組の受信コイルからなり、一つまたは複数のコアコイルを直列接続したものを受信コイルとし、内蔵温度測定器の片側または複数側に沿って、内蔵温度測定器の外部に取り付けられている。
【０００６】
外付け受信器は、ＲＦ識別読取器の機能を有し、内蔵温度測定器は、応答器の機能を有する。内蔵温度測定器は、二つのケーブルジョイントを接続する部分に位置し、接続内部銅芯線の銅接続管と絶縁スリーブとの間に設置している。内蔵温度測定器は、外部電源が無く、内部の全ての回路には、外付け受信器により電磁誘導方式で電力供給されている。温度センサーは測定されているケーブルに直接接触し、測定した温度値は、ＲＦ方式で、外付け受信器に伝送し、外付け受信器は、有線または無線長距離通信のインターフェイスを提供する。
【０００７】
外付け受信器と内蔵温度測定器との間は、絶縁の保護スリーブにより、隔離されている。このように、外付け受信器と内蔵温度測定器との間に、導線での直接接続がなく、元の絶縁構成は破壊されることは無い。
【０００８】
外付け受信器は、長距離通信インターフェイス回路を有し、該インターフェイスは、ＲＳ４８５、ＲＳ２３２、ＣＡＮ、光ファイバー、ＧＰＲＳ、ＧＳＭなどの長距離データインターフェイスであってもよい。該インターフェイスにより、温度データは、遠方のコンピュータ、携帯電話または他の端末装置に伝送されることができる。
【０００９】
本発明の一つの目的により、内蔵温度測定器と外付け受信器を有する温度測定装置を備える電力ケーブルジョイントの温度測定方法であって、
内蔵温度測定器は、二つのケーブルジョイントを接続する銅接続管と絶縁スリーブとの間に位置し、外付け受信器は、絶縁スリーブ以外の部分に位置し、内蔵温度測定器と外付け受信器との間に、ＲＦ識別技術で情報交換及びエネルギーの伝送を行い、外付け受信器は送信した温度データを受信し、二級送信器の識別読取器に送信するためのＲＦ送信を行うＲＦアンテナを有し、内蔵温度測定器は、ＲＦ識別応答を行うＲＦ識別応答器を有し、該ＲＦ識別応答器は、外付け受信器と通信を行うＲＦアンテナをさらに備え、内蔵温度測定器は外部電源を有しておらず、内蔵温度測定器の内部の全ての回路には、外付け受信器によって、電磁誘導方式で電力供給され、
外付け受信器とＲＦアンテナを分離させることができ、ＲＦアンテナを内蔵温度測定器の対応位置に取り付けられ、外付け受信器の取り付け位置は、ジョイントの構成によって調整させることができ、外付け受信器とＲＦアンテナを導線で接続させ、
温度センサーは、測定されたケーブル芯材や銅接続管に直接接触し、測定した温度値は、ＲＦアンテナにより、ＲＦ方式で外付け受信器に伝送し、外付け受信器は、有線または無線長距離通信インターフェイスを提供する電力ケーブルジョイントの温度測定方法において、
前記電力ケーブルジョイントの温度測定方法は、
内蔵温度測定器により、ケーブルの間のジョイントの内部の温度データを収集するステップと、
収集したデータを処理して、ＲＦ方式で信号の送信を行うステップと、
送信した信号は、外付け受信器により、対応する受信方式で受信された後、識別読取器に入力するステップとを有することを特徴とする電力ケーブルジョイントの温度測定方法を提供する。
【００１０】
本発明の他の目的により、電力ケーブルジョイントの温度測定装置であって、前記温度測定装置は、内蔵温度測定器と外付け受信器を備え、
内蔵温度測定器は、二つのケーブルジョイントを接続する銅接続管と絶縁スリーブとの間に位置し、外付け受信器は、絶縁スリーブ以外の部分に位置し、外付け受信器アンテナは、受信器に対して独立し、絶縁層を介して内蔵温度測定器アンテナ中心と対応して取り付けられ、外付け受信器と内蔵温度測定器アンテナとの間は、ＲＦ識別技術により、情報交換及びエネルギーの伝送を行い、
外付け受信器は、ＲＦアンテナにより、ＲＦ信号を送信し、内蔵温度測定器に電力を提供すると同時に、内蔵温度測定器とのデータ通信を実現し、内蔵温度測定器は、外部電源を有しておらず、ＲＦ誘導コイルにより、外付け受信器から送信したＲＦ信号を受信し、電源変換回路を経由し、その内部回路に電力を供給することを特徴とする温度測定装置を提供する。
【００１１】
本発明の他の目的により、内蔵温度測定器は、温度センサー、温度変換回路、ＲＦ誘導コイル、ＲＦインターフェイス回路及びＭＣＵ制御回路などを備え、温度センサーは、ケーブルジョイントの銅接続管や芯材に直接接触し、温度センサーは熱電対、プラチナ抵抗または半導体部品でよく、温度変換回路は、温度センサーから出力した信号をＭＣＵによる識別可能なアナログまたはデジタル信号に変換し、ＲＦ誘導コイルは、外付け受信器とのエネルギーの受信およびデータの交換を実現し、ＲＦインターフェイス回路は、ＭＣＵとＲＦ誘導コイルとの間の信号変換を実現する。
【００１２】
さらに、本発明の他の目的により、外付け受信器は、ＲＦ送信とインターフェイス回路、ＲＦ信号アンテナ、ＭＣＵ制御回路及び長距離通信インターフェイス回路を備え、ＲＦ送信とインターフェイス回路は、ＭＣＵ制御回路から送信した制御信号とデータ信号を受信し、ＲＦ信号アンテナにより、内蔵温度測定器に送信し、ＲＦ送信とインターフェイス回路は、ＲＦ信号アンテナにより、内蔵温度測定器から送信した応答信号を同時に受信し、ＭＣＵ制御回路に送信し、ＭＣＵは、受信した信号に基づいてデコードを行い、温度値を読み取る。
【００１３】
さらに、本発明の他の目的において、外付け受信器ＲＦ信号アンテナは、内蔵温度測定器外部回りでコイル状に分布する一組の受信コイルからなり、一つまたは複数のコアコイルを直列接続したものを受信コイルとし、内蔵温度測定器の片側または複数側に沿って内蔵温度測定器の外部に取り付ける。
【図面の簡単な説明】
【００１４】
【図１】本発明の温度測定のケーブルの間のジョイントを示す図である。
【図２】本発明の温度測定のケーブルの間のジョイントの内部構成の原理図である。
【図３】本発明の温度測定の内蔵温度測定器の温度測定原理図である。
【図４】本発明の温度測定の内蔵温度測定器が外部と通信する原理図である。
【図５】本発明の温度測定の内蔵温度測定器の一つのブロック図である。
【図６】本発明の温度測定の外付け受信器の一つのブロック図である。
【図７】本発明の温度測定の内蔵温度測定器の基本的な構成の概略図である。
【発明を実施するための形態】
【００１５】
ケーブルの間のジョイントの基本的な構成は、部分図を参照し、ケーブルジョイントの製作が完了した後、銅接続管によって、芯材同士が接続され、その外部に絶縁スリーブが被覆され、異なる材料で巻回するように、層ずつに多層保護を回復している。図２に示すように、本発明の温度測定装置は、内蔵温度測定器３と外付け受信器４などの部品を備え、特定の工程と接続方法によって、ケーブルの間のジョイントの各部分に取り付けられ、相互の機能を合わせつつ通信することにより、ケーブルの間のジョイントに対して、正確な温度測定を行い、温度及び関連パラメーター信号を外部に伝送するという目的を全体的に実現することができるとともに、信号が絶縁層に突き抜ける技術問題を解決した。具体的な構成を図２に示している（その中で、黒い色部分は、本装置の接続導線以外の他の部材である）。その中で、内蔵温度測定器３は、ケーブルジョイントの銅芯線１や銅接続管２と絶縁スリーブ６との間に位置し、直接接触測定方式を用いてケーブルの間のジョイントの銅芯線１または銅接続管２の温度を検出し、処理後の前記温度データをＲＦ信号方式で送信する。外付け受信器のＲＦアンテナ５は絶縁スリーブと遮壁層との間に位置し、ケーブルジョイントの異なる構成により、外付け受信器４部分は絶縁スリーブ６以外の他の位置に位置することができ、受信器とアンテナとの間は導線によって接続されている。外付け受信器４は内蔵温度測定器３から送信した温度データを受信し、長距離通信インターフェイス回路により、無線や有線方式で遠い所に設置したサーバ、携帯電話や他の端末装置に送信する。
【００１６】
温度測定装置は、内蔵温度測定器３と外付け受信器４という二つの部分に分けられている。内蔵温度測定器３は、図２に示す二つのケーブルジョイントを接続する銅接続管２と絶縁スリーブ６との間に位置している。外付け受信器４は絶縁スリーブ６の外部に位置している。外付け受信器４は、ＲＦ信号を送信し、内蔵温度測定器３に電力を提供すると同時に、内蔵温度測定器３とのデータ通信を実現している。内蔵温度測定器３は、外部電源を有しておらず、ＲＦ誘導コイル１３（図７参照）により、外付け受信器４から送信したＲＦ信号を受信し、電源変換回路を経由した後、その内部回路に電力を供給する。
【００１７】
内蔵温度測定器は、温度センサー、温度変換回路、ＲＦ誘導コイル、ＲＦインターフェイス回路及びＭＣＵ制御回路（図３）を備える。温度センサーはケーブルジョイントの銅接続管２や芯材に直接接触している。温度センサーは熱電対、プラチナ抵抗または半導体部品でよい。温度変換回路は、温度センサーと合わせる必要があり、温度センサーがＫ型熱電対を採用する場合に、温度変換回路は、ＭＡＸ６６７５を採用することができ、デジタルインターフェイスにより、ＭＣＵと直接に接続している。省エネ演算増幅器を採用してもよい。温度信号を増幅した後に、ＡＤサンプリングとしてＭＣＵに送り出す。ＲＦ誘導コイルはコアがあるインダクタやリング形状の中空コイルを採用することができ、コイル状や矩形状をなすように、内蔵温度測定器外部に分布し、側部アンテナ孔により、内蔵線路と接続している。ＲＦインターフェイス回路は、ＴＩ社のＲＦインターフェイスチップＴＭＳ３７１５７を採用することができる。ＭＣＵはＴＩ社のＴＭＳ４３０Ｆ２２７４やＡＴＭＥＬ社のＡＴＴＩＮＹ２４などを採用することができる。図５は、内蔵温度測定器のひとつのブロック図である。図７は、内蔵温度測定器の基本的な本構成を示す図である。
【００１８】
外付け受信器は、ＲＦ送信とインターフェイス回路、ＲＦ信号アンテナ５、ＭＣＵ制御回路及び長距離通信インターフェイス回路を備える（図４参照）。ＲＦ送信とインターフェイス回路は、ＭＣＵ制御回路から送信した制御信号とデータ信号を受信し、ＲＦ信号アンテナ５によって、内蔵温度測定器３に送信した。ＲＦ送信とインターフェイス回路は、ＲＦ信号アンテナによって、同時に内蔵温度測定器から送信した応答信号を受信し、ＭＣＵ制御回路に送信し、ＭＣＵは受信した信号に基づいて、デコードし、温度値を読み取る。ＲＦ信号アンテナは、リング形状の中空コイルを採用することができ、内蔵温度測定器中心と対応して絶縁スリーブ外部に設置し、ＲＦ送信とインターフェイス回路はＴＩ社のＴＭＳ３７０５を採用し、ＭＣＵ制御回路はＡＴＭＥＬのＡＶＲシリーズ、ＳＴのＳＴＭ３２シリーズ、ＴＩのＴＭＳ４３０シリーズＭＣＵ、外部電源、水晶振動子などの周辺回路を採用することができる。長距離通信インターフェイス回路はＲＳ４８５、ＣＡＮ、ＲＳ２３２などのインターフェイスチップ、例えばＭＡＸ３０８２、ＭＡＸ４８５、８２Ｃ２５１などを採用することができる。長距離通信インターフェイス回路は光ファイバー送受信モジュールやＧＰＲＳ、ＧＳＭモジュールを採用してもよい。図６は、外付け受信器のひとつのブロック図である。
【００１９】
本発明は説明した実施例に限定されるものではない。上記説明と図面は本発明の好ましい実施例について説明したが、本発明の範囲は、本発明の主旨を逸脱しない場合に、全ての修正と変形を含むものである。当業者は、本発明の主旨や本質的特性を逸脱しない場合に、他の特殊形態、構成、レイアウト、比例で、他の素子、材料と部材を使用して、本発明を実現することができる。本発明は、発明実際に使用の構成、レイアウト、比例、材料、部材及び他の修正を使用することができ、これらの修正は本発明の原理を逸脱しない場合に、特別な環境と操作要求に適応するものであることを当業者が分かる。そのため、開示した実施例は、全て説明のためであり、特許請求の範囲を限定するものではないと考えられるべきである。
【符号の説明】
【００２０】
１…銅芯線、２…銅接続管、３…内蔵温度測定器、４…外付け受信器、５…ＲＦアンテナ、６…絶縁スリーブ、７…銅遮壁層、８…ケーブル内絶縁層、９…ケーブル外装層、１０…ケーブル外絶縁層、１１…導線、１２…温度センサー、１３…ＲＦ誘導コイル、１４…内蔵温度測定器回路モジュール、１５…側部アンテナ孔。
【図１】
0005871941.tif 000002
【図２】
0005871941.tif 000003
【図３】
0005871941.tif 000004
【図４】
0005871941.tif 000005
【図５】
0005871941.tif 000006
【図６】
0005871941.tif 000007
【図７】
0005871941.tif 000008